(57)【要約】【課題】建具の意匠性を向上させる固定部材を提供すること。【解決手段】建物の開口部に設けられる２つの窓部２０の間に配置され、一方の窓部２０側の枠体２と、他方の窓部２０側の枠体２とを連結する連結部１０に取り付けられるアンカー１であって、枠体２は、室内側及び室外側の見付面と、これらの見付面を接続する見込面と、見込面の端部から見付方向外側に延出して見込方向室内側に屈曲し、アンカー１が係合可能な枠体側係合部２４０を有し、アンカー１は、取り付けられた状態で見込方向に延びる板状部１１と、板状部１１の見込方向の端部から、枠体側係合部２４０側へ向かうとともに見込方向外側に向かって延出し、枠体側係合部２４０に係合可能な固定部材側係合部１２と、板状部１１の端部から見込方向に延出するとともに連結部１０の見込面に締結するための貫通孔１３ａを有し、枠体２及び連結部１０を固定する固定部１３と、を備えるアンカー１である。【選択図】図３
2019163616.tif 000002
【特許請求の範囲】
【請求項１】
建物の開口部に設けられる一方の窓部及び前記一方の窓部に隣接する他方の窓部の間に配置され、前記一方の窓部側の枠体と、前記他方の窓部側の枠体とを連結する連結部に取り付けられる固定部材であって、
前記枠体は、室内側及び室外側の見付面と、これらの見付面を接続する見込面と、前記見込面の端部から見付方向外側に延出して見込方向室内側に屈曲し、前記固定部材が係合可能な枠体側係合部を有し、
前記固定部材は、前記連結部に取り付けられた状態で見込方向に延びる板状部と、
前記板状部の見込方向における端部から、前記枠体側係合部側へ向かうとともに見込方向外側に向かって延出し、前記枠体側係合部に係合可能な固定部材側係合部と、
前記板状部の前記端部から見込方向に延出するとともに前記連結部の見込面に締結するための貫通孔を有し、前記枠体及び前記連結部を固定する固定部と、を備える、固定部材。
【請求項２】
前記固定部は、前記板状部から、前記枠体よりも見込方向室外側に延出する請求項１に記載の固定部材。
【請求項３】
請求項１又は２に記載の固定部材を有する建具であって、
前記連結部の室外側見付面に取り付けられ、前記連結部の見付面を被覆するカバー部材を備え、
前記カバー部材は、前記連結部の見付面に沿って延びる中央側延出部と、
前記中央側延出部から連続して見付方向外側に延出し、前記枠体の見付方向における端部を被覆する端部側延出部と、
前記端部側延出部の室内側から前記連結部の見込面に沿って突出するカバー部材固定部と、を有し、
前記カバー部材固定部は、前記連結部の見込面に、見付方向外側からネジにより固定される、建具。
【請求項４】
前記固定部材における前記固定部の見付方向外側で、前記カバー部材の前記端部側延出部の室内側面及び枠体の室外側の見付面の間の隙間に配置され、前記隙間をシールするシール部を有する、請求項３記載の建具。
【発明の詳細な説明】
【技術分野】
【０００１】
本発明は、固定部材及びこれを用いた建具に関する。
【背景技術】
【０００２】
従来、隣接する二つの窓部の間に配置される連結部には、窓部のそれぞれの枠体と、連結部とを連結して固定する固定部材を取り付けることが知られている（例えば、特許文献１参照）。
【０００３】
具体的には、特許文献１に記載の技術では、枠体の見込面の端部に、見付方向外側に延出して見込方向室内側に屈曲する枠体側係合部が形成されている。固定部材には、連結部の見込方向に沿って取り付けられる長方形の板状部と、板状部の長手方向の端部から、枠体側係合部側に延出して枠体側係合部に係合する係合部が設けられている。また、固定部材は、枠体に係合させるとともに、連結部にネジにより締結して固定される。固定部材のネジを締結する面は、固定部材の板状部から、係合部が突出する方向と反対側の見付方向に延出している。
【先行技術文献】
【特許文献】
【０００４】
【特許文献１】特開２０１４−１９００８５号公報
【発明の概要】
【発明が解決しようとする課題】
【０００５】
固定部材を枠体に係合させるとともに連結部に締結するため、固定部材に、見込方向の一方及び他方から係合部や固定部の締結面を設けると、固定部の見付方向の寸法も大きくなり、固定部を覆う隣接する枠体間の外観面にも影響が出る。このため、意匠性を向上させることが難しくなる場合があった。このため、固定部の見付寸法を小さくして、建具の意匠性を向上させることが可能な固定部材が望まれていた。
【課題を解決するための手段】
【０００６】
本発明は、建物の開口部に設けられる一方の窓部（例えば、後述の窓部２０）及び前記一方の窓部に隣接する他方の窓部の間に配置され、前記一方の窓部側の枠体（例えば、後述の枠体２）と、前記他方の窓部側の枠体とを連結する連結部（例えば、後述の連結部１０）に取り付けられる固定部材（例えば、後述のアンカー１）であって、前記枠体は、室内側及び室外側の見付面と、これらの見付面を接続する見込面と、前記見込面の端部から見付方向外側に延出して見込方向室内側に屈曲し、前記固定部材が係合可能な枠体側係合部（例えば、後述の枠体側係合部２４０）を有し、前記固定部材は、前記連結部に取り付けられた状態で見込方向に延びる板状部（例えば、後述の板状部１１）と、前記板状部の見込方向における端部から、前記枠体側係合部側へ向かうとともに見込方向外側に向かって延出し、前記枠体側係合部に係合可能な固定部材側係合部（例えば、後述の固定部材側係合部１２）と、前記板状部の前記端部から見込方向に延出するとともに前記連結部の見込面に締結するための貫通孔（例えば、後述の貫通孔１３ａ）を有し、前記枠体及び前記連結部を固定する固定部（例えば、後述の固定部１３）と、を備える、固定部材に関する。
【０００７】
前記固定部は、前記板状部から、前記枠体よりも見込方向室外側に延出することが好ましい。
【０００８】
前記固定部材を有する建具（例えば、後述の連窓１００）は、前記連結部の室外側見付面に取り付けられ、前記連結部の見付面を被覆するカバー部材（例えば、後述の外側カバー３）を備え、前記カバー部材は、前記連結部の見付面に沿って延びる中央側延出部（例えば、後述の中央側延出部３１）と、前記中央側延出部から連続して見付方向外側に延出し、前記枠体の見付方向における端部を被覆する端部側延出部（例えば、後述の端部側延出部３２）と、前記端部側延出部の室内側から前記連結部の見込面に沿って突出するカバー部材固定部（例えば、後述のカバー部材固定部３３）と、を有し、前記カバー部材固定部は、前記連結部の見込面に、見付方向外側からネジにより固定される、建具であることが好ましい。
【０００９】
前記固定部材における前記固定部の見付方向外側で、前記カバー部材の前記端部側延出部の室内側面及び枠体の室外側の見付面の間の隙間（例えば、後述の隙間Ｓ）に配置され、前記隙間をシールするシール部（例えば、後述のシール部３５）を有することが好ましい。
【発明の効果】
【００１０】
本発明によれば、建具の意匠性を向上させる固定部材を提供することができる。
【図面の簡単な説明】
【００１１】
【図１】本実施形態の連窓を室外側から見た正面図である。
【図２】本実施形態の連窓の連結部近傍における縦断面図である。
【図３】本実施形態の連窓の連結部近傍における横断面図である。
【図４】本実施形態のアンカーを示し（ａ）図は斜視図、（ｂ）図は正面図、（ｃ）図は側面図を示す。
【図５】本実施形態の受け金具を示し（ａ）図は斜視図、（ｂ）図は正面図、（ｃ）図は側面図を示す。
【発明を実施するための形態】
【００１２】
以下、本発明の実施形態について図面を参照して詳細に説明する。
図１は本実施形態の建具の室外側から見た正面図である。本実施形態では、建具は、建物の開口部に設けられる２つの窓部２０が見付方向に隣接して配置される連窓１００である。また、連窓１００は、耐火設備が設けられた防火窓である。
なお、本明細書において、見付方向とは、連窓１００の正面に向き合って見た場合の左右方向を言い、見込方向とは、連窓１００の室内外方向、すなわち奥行方向を言う。
【００１３】
連窓１００は、互いに隣接する２つの窓部２０と、２つの窓部２０の間に配置される連結部１０と、窓部２０及び連結部１０を接続して固定する固定部材としてのアンカー１とを有する。
【００１４】
窓部２０は、それぞれが枠体２及びガラス２５を有する。
枠体２は、上枠２１、下枠２２、外側縦枠２３及び内側縦枠２４が枠組みして形成される。枠体２は、内周側に向かって解放された略コの字型の枠材により構成される。上枠２１、下枠２２、外側縦枠２３及び内側縦枠２４のそれぞれは、室内側及び室外側の見付面及びこれらの見付面を接続する見込面を有する。
上枠２１及び下枠２２は、枠体２の上方下でそれぞれが見付方向に延びるように配置される。
外側縦枠２３及び内側縦枠２４は、見付方向の外側で上枠２１及び下枠２２を接続するように延びる。外側縦枠２３は、連窓１００の見付方向の外側に位置する。内側縦枠２４は、隣接する相手側の窓部２０に近い見付方向の内側に位置する。
ガラス２５は、枠体２の内周側に形成されるガラス保持溝に保持される。
【００１５】
図２は、連窓１００の連結部１０近傍の縦断面図である。図２に示すように、建物の開口部において、窓部２０及び連結部１０の下側にはモルタル部１０１が配置され、上側には耐熱繊維の耐火材が充填されている（図示せず）。
連窓１００は、後述する通り、室外側に、カバー部材としての外側カバー３と、シール部３５とを有する。また、室内側に、耐火ボード４と、耐火ボード支持体４１と、受け金具５と、を有する。
【００１６】
図３は、連窓１００の連結部１０近傍の横断面図である。図３に示すように、内側縦枠２４は、枠体側係合部２４０を有する。
枠体側係合部２４０は、内側縦枠２４の見付方向の端部から見付方向外側に延出して見込方向室内側に屈曲する。枠体側係合部２４０は、断面視略Ｌ字状で、後述するアンカー１が係合する部分である。枠体側係合部２４０は、内側縦枠２４の見付方向の端部から見付方向外側、すなわち隣接する相手側の窓部２０の方へ延出する縦枠見付延出部２４１と、縦枠見付延出部２４１の見付方向外側の端部から内側縦枠２４の見込方向の中央部側へ向かって延出する縦枠見込延出部２４２とを有する。枠体側係合部２４０は、内側縦枠２４の室外側の見付方向の端部及び室内側の見付方向の端部の両方に形成される。
【００１７】
連結部１０は、図３に示すように、内部が中空で断面視長方形の金属製の角材である。連結部１０は、一方の窓部２０及び他方の窓部２０の間に配置される。より詳細には、連結部１０は、内側縦枠２４同士の間に配置され、一方の内側縦枠２４と他方の内側縦枠２４とを連結する。また、連結部１０は、連窓１００の上下方向に延びるように配置される。連結部１０は、図２に示すように、取付金具１５に締結されて、この取付金具１５を建物の躯体に溶接することで建物の開口部に固定される。
【００１８】
図４（ａ）はアンカー１の斜視図、図４（ｂ）はアンカー１の正面図、図４（ｃ）はアンカー１の側面図を示す。アンカー１は、連結部１０及び内側縦枠２４に取り付けられ、これらを固定する部材である。アンカー１は、板状部１１と、固定部材側係合部１２と、固定部１３と、を有する。
【００１９】
板状部１１は、略長方形の平坦な板体であり、連結部１０に取り付けられた状態で、連結部１０の見込面に沿って延びるように配置される。
【００２０】
固定部材側係合部１２は、板状部１１の長手方向の端部の一方及び他方に形成される。固定部材側係合部１２は、立ち上がり部１２１及び係合片部１２２を有する。
立ち上がり部１２１は、連結部１０に取り付けられた状態で、板状部１１の見込方向における端部から、見付方向外側に立ち上がって枠体側係合部側へ向かう。
係合片部１２２は、立ち上がり部１２１の先端から板状部１１の長手方向に沿い、連結部１０に取り付けられた状態で、板状部１１の見込方向における端部から見込方向外側へ延びる。
図２に示すように、固定部材側係合部１２は、内側縦枠２４の枠体側係合部２４０における縦枠見込延出部２４２の内面、すなわち内側縦枠２４の見込面側に係合片部１２２が位置するように枠体側係合部２４０に係合する。
【００２１】
固定部１３は、板状部１１から長手方向外側にさらに延出する平坦な面である。固定部１３は、アンカー１が連結部１０に取り付けられた状態で板状部１１の見込方向における端部から見込方向に延出し、内側縦枠２４よりも見込方向室外側に延出する。固定部１３は、連結部１０の見込面にネジを締結するための貫通孔１３ａを有する。内側縦枠２４に係合している固定部１３が、連結部１０の見込面に当接して、貫通孔１３ａを挿通するネジが締結されることにより、固定部１３は、内側縦枠２４と連結部１０とを固定する。
【００２２】
図３に戻って、外側カバー３は、連結部１０の室外側見付面に取り付けられ、連結部１０の室外側見付面や、内側縦枠２４及び連結部１０を固定部１３が固定する部分を被覆する。外側カバー３は、平面部３０及びカバー部材固定部３３と、を有する。
平面部３０は、連結部１０の見付方向に沿って延びる平面状の板面である。平面部３０は、また、連結部１０の上下方向にも沿って延び、連結部１０の外側を覆う。平面部３０は、中央側延出部３１及び端部側延出部３２を有する。
中央側延出部３１は、横断面視で、平面部３０のうち見付方向中央部側で連結部１０の見付面に沿って延びる部分である。
端部側延出部３２は、中央側延出部３１から連続して見付方向外側に延出し、中央側延出部３１の見付方向の両端側から内側縦枠２４側へ向かって延出する部分である。端部側延出部３２は、内側縦枠２４の見付方向の端部を被覆するように配置され、アンカー１の固定部材側係合部１２と内側縦枠２４の枠体側係合部２４０との係合部分も覆っている。
【００２３】
カバー部材固定部３３は、平面部３０における端部側延出部３２の室内側面から突出し、連結部１０の見込面に沿って延出する面である。カバー部材固定部３３は、貫通孔を有し、連結部１０の見込面に、見付方向外側からネジによって締結される。
【００２４】
シール部３５が、アンカー１の固定部１３の見付方向外側で、外側カバー３の端部側延出部３２の室内側面と、内側縦枠２４の室外側の見付面との間の隙間Ｓに配置される。シール部３５は、湿式シールであり、端部側延出部３２の室内側面と、内側縦枠２４の室外側の見付面との隙間Ｓをシールして塞ぐことで、固定部１３の近傍に水等が進入することが防止される。また、シール部３５よりも見付方向の連結部１０寄りには、耐火材が充填される。
【００２５】
耐火ボード４は、図２及び図３に示すように、連結部１０の室内側の見付面側に配置される。耐火ボード４は、連結部１０の室内側の見付面よりも見付方向の幅が広く、隣接する窓部２０の内側縦枠２４同士の間隔よりも狭い程度の見付方向の幅を有する。耐火ボード４は、室内側から見込方向に貫通するネジにより連結部１０に固定されており、建物の躯体には固定されていない。耐火ボード４の上側と、躯体との間には、ロックウール等の不燃の耐火材が充填される。
【００２６】
耐火ボード支持体４１は、連結部１０の室内側で、耐火ボード４の室外側に配置され、耐火ボード４が火災時に倒れることを防止する。耐火ボード支持体４１は、耐火ボード４よりも長手方向の長さが長く、下端は枠体２よりも下で建物のモルタル部１０１に埋設され、上端は躯体上部に取り付けられている。
【００２７】
図５（ａ）は、受け金具５の斜視図であり、図５（ｂ）は受け金具５の正面図、図５（ｃ）は、受け金具の側面図である。図５（ａ）〜図５（ｃ）に示すように、受け金具５は耐火ボード４の上端側及び下端側に設けられる。受け金具５は、受け面部５１と、壁部５２と、接続部５３と、を有する。
【００２８】
受け面部５１は、平面視略四角形の平面状の板面である。受け面部５１は、取り付けられた状態で、耐火ボード４の下面又は上面に当接し、耐火ボード４の下面及び上面を支持する。受け面部５１は、耐火ボード４の見込方向及び見付方向の寸法と対応する寸法を有する。
【００２９】
壁部５２は、受け面部５１から離間する方向（例えば、図５（ａ）における上方）に向かって起立する面であり、見付側壁部５２１と、見込側壁部５２２と、を有する。
見付側壁部５２１は、受け面部５１の室内側見付面に沿って延びる端縁５１ａから起立する面である。見付側壁部５２１は、受け面部５１の見付方向の寸法よりも小さく、受け面部５１の室内側の見付方向に延びる端縁５１ａの略中央部寄りに形成され、両端側には隙間が形成されている。見付側壁部５２１は、耐火ボード４の下端側に配置された受け金具５では、耐火ボード４の室内側面の下端を位置決めし、上端側に配置された受け金具５では、耐火ボード４の上端から室内側面に沿って下垂して、耐火ボード４が室内側に倒れることを抑止する。
見込側壁部５２２は、受け面部５１の見込面に沿って延びる端縁５１ｂから起立する面であり、受け面部５１の見付方向の一方と他方からそれぞれ起立している。見込側壁部５２２は、受け面部５１の見込方向に沿う端縁５１ｂの室内側寄りに位置しており、室外側は空いている。
【００３０】
接続部５３は、受け面部５１の見込方向室外側の端部において見付方向に沿って延びる端縁５１ｃから、壁部５２の起立する方向の反対側（例えば、図５（ａ）における下方）に向かって延出する面であり、貫通孔５３１が形成されている。
図２に示すように、下方側に配置された受け金具５の接続部５３は、受け面部５１に耐火ボード４が載った状態で、下方へ延び、耐火ボード支持体４１にネジにより締結して連結される。また、上方側に配置された受け金具５の連結部は、受け面部５１が耐火ボード４の上端に接した状態で、上方へ延び、耐火ボード支持体４１にネジにより締結して連結される。
【００３１】
なお、連結部１０の室内側には、図３に示すように、内側縦枠２４の室内側の見付面の端部から、耐火ボード４の周囲を覆うように断面視略コの字状の内側カバー６が取り付けられる。
内側カバー６の内部では、連結部１０の室内側の見付面に、連結部１０の見付方向の幅よりも広い幅の連結板６１が接続されている。
連結板６１の見付方向両端部における室外側の面と、連結部１０の見込面の室内側の端部と、内側縦枠２４の室内側の見付面の端部と、内側カバー６の見込面の室外側端部と、の四つの面に沿うように屈曲した、横断面視で四つの面を有する内側アタッチメント６２が配置されている。内側アタッチメント６２を介して、連結板６１が接続された連結部１０及び内側縦枠２４を固定するとともに、これらを内側カバー６に固定している。
【００３２】
次に、連窓１００の組み立て方法について説明する。
まず、内側縦枠２４の枠体側係合部２４０に、アンカー１の固定部材側係合部１２を係合させる。このとき、固定部１３は内側縦枠２４から室外側へ、例えば８〜１０ｍｍ突出している。アンカー１は、内側縦枠２４の見込面に、上下方向に間隔を空けて複数取り付ける。間隔は、例えば、３９０〜４１０ｍｍであってよい。また、内側縦枠２４の室内側の端部には、内側アタッチメント６２をネジで取付けておく。
アンカー１を取り付けた連結部１０の上端及び下端には、躯体に連結するための取付金具１５を取付け、連結部１０の室内側の見付面には連結板６１を取付ける。
【００３３】
次に、連結部１０と内側縦枠２４とを組み付ける。内側縦枠２４に係合させたアンカー１の固定部１３を、連結部１０の見込面にネジで締結する。また、内側アタッチメント６２を、内側縦枠２４の室内側の見付面の端部に向けてネジを締結し、ネジの軸部をアンカー１の室内側の固定部材側係合部１２の見込面に沿って配置する。この状態で、左右の窓部２０の内側縦枠２４と連結部１０が組み合わされ、枠体２と連結部１０が連窓１００となる。組み合わされた連窓１００を、建物の開口部にセットする。
【００３４】
連結部１０に取り付けた取付金具１５を、建物の躯体の鉄筋に溶接し、連結部１０を開口部に固定する。また、連結部１０が開口部に固定された状態で、連結板６１と内側アタッチメント６２とをネジにより締結し、内側アタッチメント６２を介して、固定された連結部１０と内側縦枠２４とを接続する。
【００３５】
次に、耐火ボード支持体４１を連結部１０の室内側に配置し、上下を固定して取り付ける。また、受け金具５を開口部の下側の室内側面に配置し、接続部５３を耐火ボード支持体４１の下端部に連結する。
受け金具５の受け面部５１の上に、耐火ボード４の下面を載せ、受け金具５によって耐火ボード４の位置を位置決めしながら、耐火ボード４を耐火ボード支持体４１の室内側に配置する。耐火ボード４の上下方向の中央部で、耐火ボード４、耐火ボード支持体４１及び連結部１０を見込方向に締結するネジにより固定する。また、下側と同様に、受け金具５を耐火ボード４の上面にも取付ける。耐火ボード４の上部には、耐火材を充填する。耐火ボード４が連結部に固定され、躯体に固定されていないので、躯体上部の形状がどのような構成になっていても、確実に耐火ボード４を固定することができる。
【００３６】
連結部１０の室外側では、外側カバー３のカバー部材固定部３３を、連結部１９の室外側の見込面にネジにより固定する。そして、カバー部材固定部３３から見付方向外側で、内側縦枠２４と外側カバー３との間に耐火材を充填しながら、内側縦枠２４と外側カバー３との間の隙間をシール部３５でシールする。
連結部１０の室内側では、内側カバー６を内側アタッチメント６２に取り付ける。
【００３７】
本実施形態によれば、以下の効果が奏される。
本実施形態では、アンカー１を、建物の開口部に設けられる一方の窓部２０及び一方の窓部２０に隣接する他方の窓部２０の間に配置され、一方の窓部２０側の枠体２と、他方の窓部２０側の枠体２とを連結する連結部１０に取り付けた。また枠体２を、室内側及び室外側の見付面と、これらの見付面を接続する見込面と、見込面の端部から見付方向外側に延出して見込方向室内側に屈曲し、アンカー１が係合可能な枠体側係合部２４０を含んで構成した。また、アンカー１を、連結部１０に取り付けられた状態で見込方向に延びる板状部１１と、板状部１１の見込方向における端部から、枠体側係合部２４０側へ向かうとともに見込方向外側に向かって延出し、枠体側係合部２４０に係合可能な固定部材側係合部１２と、板状部１１の端部から見込方向に延出するとともに連結部１０の見込面に締結するための貫通孔１３ａを有し、枠体２及び連結部１０を固定する固定部１３と、を含んで構成した。
アンカー１の固定部１３が板状部１１から見込方向に延出しており、固定部１３に設けられた貫通孔１３ａを設け、貫通孔１３ａにネジを見付方向に挿通させて、アンカー１と連結部１０とを締結固定した。固定部１３が見込方向に延びているので、連結部１０に取り付けられた状態の固定部１３の見付寸法を小さくすることができる。よって、アンカー１が取り付けられる連結部１０等を覆う隣接する枠体２間の見付寸法の設計の自由度が上がり、見付寸法を小さくすることも可能になる。このため、見付方向の小さなアンカー１により、連窓１００の意匠性を向上することができる。
【００３８】
本実施形態では固定部１３を、板状部１１から、枠体２（内側縦枠２４）よりも見込方向室外側に延出させた。固定部材側係合部１２が枠体側係合部２４０側に向かうとともに見込方向に延出する一方、固定部１３が板状部１１から内側縦枠２４よりも見込方向室外側に延びている。このような構成によれば、アンカー１が内側縦枠２４に係合した状態で、アンカー１の板状部１１と固定部材側係合部１２との間の見付方向の距離より小さい範囲に、連結部１０の見込面に見付方向にネジを締結するネジの頭部を納めることができる。このため、アンカー１の連結部１０に対する固定に必要な見付方向の幅を小さくすることができ、アンカー１の見付寸法を小さくすることができる。よって、アンカー１を覆う隣接する枠体２間の外観面の見付寸法を小さくすることができるので、上記と同様の効果を奏する。
【００３９】
本実施形態では、上述のアンカー１有する連窓１００を、連結部１０の室外側見付面に取り付けられ、連結部１０の見付面を被覆する外側カバー３を含んで構成した。また、外側カバー３を、連結部１０の見付面に沿って延びる中央側延出部３１と、中央側延出部３１から連続して見付方向外側に延出し、枠体２の見付方向における端部を被覆する端部側延出部３２と、端部側延出部３２の室内側から連結部１０の見込面に沿って突出するカバー部材固定部３３と、を含んで構成した。また、カバー部材固定部３３を、連結部１０の見込面に、見付方向外側からネジにより固定した。
カバー部材固定部３３を、連結部１０の見込面に、見付方向外側からネジにより固定することで、外側カバー３の見付方向外側に延出する端部側延出部によりネジで固定した部分が隠れ、室外側から視認されない。このため、外側カバー３を連結部１０に固定する部分のために見付方向の幅を別途延出させる必要がない。その結果、外側カバー３の見付け寸法を小さくすることができ、意匠性を向上させることができる。
【００４０】
本実施形態では、アンカー１における固定部１３の見付方向外側で、外側カバー３の端部側延出部３２の室内側面及び枠体２の室外側の見付面の間の隙間Ｓに配置され、隙間Ｓをシールするシール部３５を含んで構成した。
外側カバー３の端部側延出部３２と、内側縦枠２４の室外側の見付面との間の隙間Ｓを、固定部１３よりも見付方向外側でシールすることで、外側カバー３の端部側延出部３２と、内側縦枠２４の室外側の見付面と、固定部１３とにより形成される空間に水等が進入することを防止することができる。このため、連結部１０の内部に水が進入したり、固定部１３が劣化することを防止することができる。
【００４１】
以上、本発明の好ましい実施形態について説明したが、本発明は、上述の実施形態に制限されるものではなく、適宜変更が可能である。
例えば、上記実施形態では、連結部として中空の金属製の角材を用いているが、これに限られない。連結部１０として、従来用いられている方立であってもよい。また、建物の躯体部分で構成される壁も、本発明の連結部の概念に含まれる。
また、連結部１０は、上下方向に延びるように配置されているが、見付方向に延びる無目であってもよい。
また、上記実施形態では、単窓を例に説明したが、段窓であっても同様のアンカーを用いることができる。
【符号の説明】
【００４２】
１    アンカー（固定部材）
２    枠体
３    外側カバー（カバー部材）
１０  連結部
１１  板状部
１２  固定部材側係合部
１３  固定部
１３ａ  貫通孔
２０  窓部
３１  中央側延出部
３２  端部側延出部
３３  カバー部材固定部
３５  シール部
１００  連窓（建具）
２４０  枠体側係合部
【図１】
2019163616.tif 000003
【図２】
2019163616.tif 000004
【図３】
2019163616.tif 000005
【図４】
2019163616.tif 000006
【図５】
2019163616.tif 000007